(57)【要約】【課題】ノイズを確実に除去し、Ｓ／Ｎ比を向上させることができる信号伝送用フラットケーブルを提供する。【解決手段】フラットケーブル１０は、電子回路基板のグラウンド層に電気的に接続可能なコネクタ導体１５が形成されたコネクタ部１１を両端又は一端に備える。信号導体１２、１３は、内側に金属層を、外側に絶縁プラスチック層を有する保護遮蔽層２０により被覆される。保護遮蔽層の金属層がコネクタ部のコネクタ導体１５と電気的に接続し、また保護遮蔽層の金属層の一部１７ａが保護遮蔽層２０の外部に露出して、グラウンド層として機能する。【選択図】図１
2020017477.tif 000002
【特許請求の範囲】
【請求項１】
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層がコネクタ部のコネクタ導体と電気的に接続していることを特徴とする信号伝送用フラットケーブル。
【請求項２】
前記保護遮蔽層の金属層の一部が絶縁プラスチック層の外部に露出していることを特徴とする請求項１に記載の信号伝送用フラットケーブル。
【請求項３】
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層の一部が絶縁プラスチック層の外部に露出していることを特徴とする信号伝送用フラットケーブル。
【請求項４】
前記保護遮蔽層の金属層の一部は、直接あるいは金具を介して電子回路基板のグラウンド層と電気的に接続されることを特徴とする請求項２又は３に記載の信号伝送用フラットケーブル。
【請求項５】
前記保護遮蔽層の金属層の一部はケーブル長さ方向に複数個所で絶縁プラスチック層の外部に露出していることを特徴とする請求項２から４のいずれか１項に記載の信号伝送用フラットケーブル。
【請求項６】
前記保護遮蔽層は、ケーブル長手方向において一方の端縁部が他方の端縁部の外側に重ね合わされて前記外周を包囲し、前記保護遮蔽層の金属層の一部は重ね合わせられている保護遮蔽層部の部分から重ね合わせられていない部分に向かってケーブル幅方向に絶縁プラスチック層の外部に露出していることを特徴とする請求項２から５のいずれか１項に記載の信号伝送用フラットケーブル。
【発明の詳細な説明】
【技術分野】
【０００１】
本発明は、薄型でかつ優れた電気特性を有する信号伝送用フラットケーブル、特に、携帯電話やノートパソコン等の内部配線に適した信号伝送用フラットケーブルに関するものである。
【背景技術】
【０００２】
携帯電話やノートパソコンのような高密度配線電子機器に使用される信号伝送用フラットケーブルには、狭い空間での配線を可能とするために薄型でかつ高周波帯域での伝送損失が小さいことが要求される。
【０００３】
このような信号伝送用フラットケーブルとして、信号導体が積層された電気絶縁基体を、上下から電気絶縁薄膜層で被覆し、内側が金属層で外側が電気絶縁プラスチック層となった保護遮蔽層で包囲し、金属層を介してグラウンドとの電気的な接続を行うようにした同軸ケーブルが提案されている（特許文献１）。
【０００４】
また、シールドケーブルを包囲する外部導体を延長して高周波回路のグラウンド層として機能させる構成が知られている（特許文献２）。
【先行技術文献】
【特許文献】
【０００５】
【特許文献１】ＷＯ２０１６／１０４０６６号公報
【特許文献２】特開２０１４−０１１０４７号公報
【発明の概要】
【発明が解決しようとする課題】
【０００６】
しかしながら、特許文献１、２に記載された構成では、ケーブルには、電子回路基板に接続されるコネクタ部は設けられておらず、コネクタ部でのグラウンド接続を行っていないので、ノイズを充分除去できず、Ｓ／Ｎ比が低下するという問題があった。
【０００７】
本発明は、このような問題点を解決するためになされたもので、ノイズを確実に除去し、Ｓ／Ｎ比を向上させることができる信号伝送用フラットケーブルを提供することを課題とする。
【課題を解決するための手段】
【０００８】
上記課題を解決する本発明（請求項１）は、
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層がコネクタ部のコネクタ導体と電気的に接続していることを特徴とする。
また、本発明（請求項３）は、
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層の一部が絶縁プラスチック層の外部に露出していることを特徴とする。
【発明の効果】
【０００９】
このような構成では、信号伝送用フラットケーブルの端部に設けられたコネクタ部に、あるいは該フラットケーブルの外部にグラウンド機能を持たせることができるので、ノイズを確実に除去でき、Ｓ／Ｎ比を向上させることができる。
【図面の簡単な説明】
【００１０】
【図１】（Ａ）は本発明の信号伝送用フラットケーブルの平面図、（Ｂ）はコネクタ部の拡大図、（Ｃ）はコネクタ部の保護遮蔽層を展開して示した平面図である。
【図２】（Ａ）は図１（Ａ）のＡ−Ａ´線に沿った断面図、（Ｂ）は図１（Ａ）のＢ−Ｂ´線に沿った断面図である。
【図３】（Ａ）は図１（Ｂ）のＣ−Ｃ´線に沿った断面図、（Ｂ）は図１（Ｂ）のＤ−Ｄ´線に沿った断面図である。
【図４】信号伝送用フラットケーブルを製造する流れを説明する説明図である。
【図５】保護遮蔽層の金属層の面を示す平面図である。
【図６】保護遮蔽層を折り曲げた状態で示す斜視図である。
【図７】信号伝送用フラットケーブルを電子機器に配置したときの説明図である。
【発明を実施するための形態】
【００１１】
以下、図面に示す実施例に基づいて本発明を詳細に説明する。
【実施例】
【００１２】
図１（Ａ）は、本実施例に係る信号伝送用フラットケーブル（以下、フラットケーブルという）１０を示す。フラットケーブル１０は、図１（Ｂ）、（Ｃ）に示したように、両端に電子回路基板に接続される同じ構成のコネクタ部１１を備えている。
【００１３】
フラットケーブル１０の外表面は、後述するように内側が金属層、外側が絶縁プラスチック層からなる保護遮蔽層２０によりケーブル幅方向の一端２０ａを他端に重ね合わせる形で包囲されている。保護遮蔽層２０の金属層の一部１７ａは、フラットケーブル１０の外表面にケーブル長手方向に複数個所（３か所）で露出し、これら露出金属層１７ａは、後述するように、グラウンド層として機能し、フラットケーブル１０は多点グラウンド構造となっている。
【００１４】
本明細書において、ケーブル長手方向とは、フラットケーブル１０が長く延びる図１（Ａ）においてＤで示した方向、ケーブル幅方向とは、Ｄと直交するＷで示した方向、ケーブル厚さ方向は、Ｄ、Ｗと直交する図２（Ａ）においてＨで示した方向である。
【００１５】
フラットケーブル１０は多芯同軸ケーブルとして構成されており、図２（Ａ）、（Ｂ）に示したように、２つの信号導体１２、１３がケーブル長手方向に互いに平行に平面上に配置されている。信号導体１２、１３は、良導電性の金属、例えば銅箔を積層した８７μ厚さの絶縁性液晶ポリマーフィルムからなる下部絶縁薄膜層１４を、信号導体となる部分が残るようにエッチングして形成される。本実施例では、２つの信号導体１２、１３が設けられているが、信号導体は、２つに限定されるものでなく、それ以上の複数の信号導体（多芯）を設けることもでき、また一つ（単芯）とすることもできる。
【００１６】
信号導体１２、１３は、図１（Ｂ）、（Ｃ）で示したように、コネクタ部１１の内部まで延びており、その端子１２ａ、１３ａは、コネクタ導体１５の空隙内に導かれる。コネクタ導体１５は、信号導体１２、１３と同様に、下部絶縁薄膜層１４を、コネクタ導体１５となる部分が残るようにエッチングして形成される。
【００１７】
コネクタ部１１も、図１（Ｂ）に示したように、コネクタ導体１５の一部並びに信号導体の端子１２ａ、１３ａがフラットケーブル１０の外表面に露出するように、保護遮蔽層２０のケーブル幅方向の一端２０ｂがコネクタ導体１５上に重ね合わせられ、また他端２０ｃがケーブル幅方向に全体に重ね合されている。図１（Ｃ）は、コネクタ部１１の保護遮蔽層２０を展開して図示したもので、保護遮蔽層２０の裏側は金属層１７となっており、保護遮蔽層２０の端部２０ｂ、２０ｃを、図１（Ｂ）に示したように、重ね合わせると、保護遮蔽層２０の金属層１７がコネクタ導体１５と電気的に接続するようになっている。
【００１８】
下部絶縁薄膜層１４上に形成された信号導体１２、１３は、コネクタ部１１を除いて、例えば７５μ厚さの絶縁性液晶ポリマーフィルムからなる上部絶縁薄膜層１６で被覆される。なお、信号導体１２、１３は、特許文献１で示したような電気絶縁基体（不図示）の一方面（上側面）に形成し、この電気絶縁基体を液晶ポリマーフィルムからなる絶縁薄膜層で上下から被覆するようにしてもよい。いずれにしても、信号導体１２、１３は、絶縁性の薄膜層で上下から被覆される。
【００１９】
信号導体１２、１３を上下から被覆した下部と上部の絶縁薄膜層１４、１６の全体は、例えば６μ厚の銅箔からなる金属層１７と、それを積層した例えば１２μ厚のポリイミドの絶縁プラスチック層１８とからなる保護遮蔽層２０により、絶縁プラスチック層１８が外側となるように、被覆される。
【００２０】
フラットケーブル１０は、コネクタ部を除く部分のケーブル長手方向の長さがｄ１（例えば、約８４．０ｍｍ）、コネクタ部１１の長さがｄ２（例えば、約７．０ｍｍ）、グラウンド層として機能する金属層１７ａの長さがｄ３（例えば、約５．８ｍｍ）であり、ケーブル幅方向にｗ１（例えば、約２．６ｍｍ）の幅を、またケーブル厚さ方向にｈ１（例えば、約０．２ｍｍ）の厚さ（図２（Ｂ））を有している。なお、図２（Ａ）、（Ｂ）、図３（Ａ）、（Ｂ）、図４は、模式的な説明図であるので、各部分の寸法比は、実寸のものと異なり、特に、ケーブル厚さ方向の寸法が誇張して大きく描かれている。
【００２１】
図５は、金属層１７が紙面に現れるように展開した保護遮蔽層２０を示している。保護遮蔽層２０は、ケーブル長手方向の複数部分で一部がケーブル幅方向に長くなっており、その長くなった一部の金属層１７ａが、図１（Ａ）に示したように、フラットケーブル１０の外表面にグラウンド層として露出する。
【００２２】
保護遮蔽層２０は、折り曲げられてフラットケーブル１０を包囲するので、その折り曲げ部が符号１７ｂ〜１７ｆを用いて点線で図５に図示されている。なお、折り曲げ部１７ｂ〜１７ｆは、実際には、ケーブル厚さ方向の厚さｈ１に応じた幅を有するが、図示が困難なので、一つの点線として図示されている。また、図２（Ａ），（Ｂ）、図３（Ａ）、（Ｂ）では、ケーブル厚さ方向が誇張されて大きく図示されているので、折り曲げ部がどの部分に相当するかは、図示されていない。
【００２３】
保護遮蔽層２０の折り曲げ部１７ｂ、１７ｃ間の幅、折り曲げ部１７ｂ、１７ｄ間の幅、並びに折り曲げ部１７ｄと金属層１７ａの先端部間の幅はフラットケーブル１０のケーブル幅方向の幅ｗ１に相当し、保護遮蔽層２０は折り曲げ部１７ｂ、１７ｃに沿って内側に直角に折り曲げられる。また、コネクタ部の保護遮蔽層２０は、折り曲げ部１７ｅ、１７ｆに沿って内側に折り曲げられ、このようにして折り曲げられた保護遮蔽層２０が、図６に斜視図として図示されている。図６では、保護遮蔽層２０の絶縁プラスチック層１８が可視でき、一部の金属層１７ａに相当する部分が符号１８ａで図示されている。
【００２４】
保護遮蔽層２０は、図６に図示した状態で折り曲げ部１７ｂに沿って保護遮蔽層２０内部の上部絶縁薄膜層１６（図６には不図示）上に折り畳まれ、一部の金属層１７ａの部分では、折り曲げ部１７ｄに沿って逆方向に折り畳まれ、一部の金属層１７ａが絶縁プラスチック層１８上に露出する。この露出した金属層１７ａは、後述するように、電子回路基板のグラウンド層に直接あるいはクリップなどの金具を介して電気的に接続可能になっている。この状態で、保護遮蔽層２０の一端２０ａが折り曲げ部１７ｃに沿って折り曲げられ、他端上に重ね合される。このようにして保護遮蔽層２０により全体が被覆された状態で一部の金属層１７ａが露出していない部分の断面図が図２（Ａ）に、また一部の金属層１７ａが露出している部分の断面図が図２（Ｂ）に図示されている。
【００２５】
コネクタ部１１では、上部絶縁薄膜層１６は設けられないので、保護遮蔽層２０のケーブル幅方向一端２０ｂが折り曲げ部１７ｆに沿ってコネクタ導体１５上に折り曲げられ、続いて終端２０ｃが折り曲げ部１７ｅに沿って折り曲げられる。このようにして保護遮蔽層２０により被覆された状態で、図１（Ｂ）のＣ−Ｃ´線に沿った断面図が図３（Ａ）に、図１（Ｂ）のＤ−Ｄ´線に沿った断面図が図３（Ｂ）に図示されている。これらの図から明らかなように、コネクタ導体１５は、保護遮蔽層２０の金属層１７と接触しており、電気的に接続している。
【００２６】
保護遮蔽層２０により被覆されたフラットケーブル１０は、保護遮蔽層２０に、その上下方向から加熱加圧（ホットプレス）を施すことにより、下部絶縁薄膜層１４と上部絶縁薄膜層１６が軟化溶融して金属層１７に接着し、下部絶縁薄膜層１４、上部絶縁薄膜層１６、保護遮蔽層２０が一体化される。
【００２７】
次に、フラットケーブル１０の製造方法を、露出した金属層１７ａが形成される部分を断面図にした図４に基づいて説明する。
【００２８】
図４の左側に図示したように、銅箔を積層した絶縁性液晶ポリマーフィルムからなる下部絶縁薄膜層１４を、信号導体１２、１３となる部分が残るようにエッチングして、下部絶縁薄膜層１４上に信号導体１２、１３を形成する。
【００２９】
続いて、信号導体１２、１３上部に上部絶縁薄膜層１６を積層すると共に、上部絶縁薄膜層１６および下部絶縁薄膜層１４を保護遮蔽層２０の金属層１７の折れ曲げ部１７ｂ、１７ｃ間に配置して、図４の左下に示したように、保護遮蔽層２０を折れ曲り部１７ｂ、１７ｃで垂直に折り曲げ、金属層１７が内側に、絶縁プラスチック層１８が外側になるように、配置する。なお、図４でも、フラットケーブルの厚さが誇張して図示されているので、図４で図示する折れ曲げ部は正確な位置を示すものではない。
【００３０】
続いて、図４の右側に示したように、折り曲げ部１７ｂに沿って保護遮蔽層２０を内側に折り曲げ、続いて金属層１７ａが絶縁プラスチック層１８上に現れるように、折り曲げ部１７ｄに沿って逆方向に折り曲げる。この状態で、図４で右下に示したように、保護遮蔽層２０の一端２０ａが折り曲げ部１７ｃに沿って折り曲げられ、図４で右下に示したように、他端上に重ね合される。
【００３１】
一方、コネクタ部１１では、図示されていないが、保護遮蔽層２０のケーブル幅方向一端２０ｂが折り曲げ部１７ｆに沿ってコネクタ導体１５上に折り曲げられ、続いて終端２０ｃが折り曲げ部１７ｅに沿って折り曲げられる。
【００３２】
続いて、保護遮蔽層２０の上下方向から加熱、加圧を施すことにより、下部絶縁薄膜層１４、上部絶縁薄膜層１６、保護遮蔽層２０を一体化してフラットケーブル１０を作製する。
【００３３】
図７には、フラットケーブル１０が、例えば、スマートフォンなどの電子機器に応用される例が模式的に図示されている。図７は、フラットケーブル１０をケーブル厚さ方向Ｈに拡大して金属層１７、１７ａがどのように電気的に接続されるかを機能的に図示している。
【００３４】
フラットケーブル１０の一端のコネクタ部１１は、コネクタ部１１のコネクタ導体１５が電子回路基板３０のグラウンド層３０ａと電気的に接続するように、電子回路基板３０に差し込まれる。また、フラットケーブル１０の他端のコネクタ部１１は、そのコネクタ部１１のコネクタ導体１５が電子回路基板３１のグラウンド層３１ａと電気的に接続するように、電子回路基板３１に差し込まれる。
【００３５】
信号導体１３は、その端子１３ａ（図１（Ｂ）、（Ｃ））を介して、電子回路基板３０の、例えばアンテナ素子（不図示）に接続された端子３０ｂに接続され、また、信号導体１３の他の端子１３ａは、電子回路基板３１の高周波回路（不図示）に接続された端子３１ｂに接続される。アンテナ素子で受信した信号は、信号導体１３を介して電子回路基板３１の高周波回路で受信されて、信号処理される。
【００３６】
ここで、コネクタ導体１５は、図３（Ａ），（Ｂ）に図示したように、保護遮蔽層２０の金属層１７と電気的に接続しており、またコネクタ導体１５は、電子回路基板３０、３１のグラウンド層３０ａ、３１ａと電気的に接続されるので、信号導体１２、１３は、ケーブル長手方向の全域に渡って電気的にグラウンド層として機能する金属層１７で包囲される。従って、信号伝送時のノイズを顕著に抑制することができ、Ｓ／Ｎ比を向上させることができる。
【００３７】
また、図７に示すように、フラットケーブル１０は、他の電子回路基板３２のグラウンド層３２ａに近接して配置され、フラットケーブルの外表面に露出した金属層１７ａを電子回路基板３２のグラウンド層３２ａと電気的に接続させることができる。この電気的な接続は、仮想円で上部に示したように、例えばクリップ状の金具３３を用いて行われる。金具３３は、ケーブル幅方向Ｗにｗ１、厚さ方向Ｈにｈ１の大きさの金具辺３３ａを有し、その一辺にピン３３ｂを備える。金具辺３３ａに金属層１７ａが電気的に接続するように、フラットケーブルをクリップし、ピン３３ｂを電子回路基板３２のグラウンド層３２ａに接触させるかあるいは突き刺して、金属層１７ａをグラウンド層３２ａに電気的に接続させることができる。フラットケーブル１０を包囲する金属層１７は、金属層１７ａを介して電子回路基板３２のグラウンド層３２ａと電気的に接続されるので、信号導体１２、１３は、ケーブル長手方向の全域に渡って電気的にグラウンド層として機能する金属層１７で包囲される。従って、信号伝送時のノイズを顕著に抑制することができ、Ｓ／Ｎ比を向上させることができる。
【００３８】
なお、金具３３を介して金属層１７ａを電子回路基板３２のグラウンド層３２ａと電気的に接続させたが、フラットケーブル１０を該グラウンド層３２ａに接触させることができる場合は、当該接触により電気的な接続を行うようにしてもよい。
【００３９】
また、本実施例では、フラットケーブル１０の両端にコネクタ部を設けたが、コネクタ部は、一方の端部だけに設けるようにしてもよい。その場合には、他方の信号導体端子は、コネクタを介さず直接電子回路基板の接続端子などに接続される。
【００４０】
なお、本実施例のフラットケーブルが、主にスマートフォンのような高密度配線電子機器に使用される例を説明したが、本発明は、これに限定されず、例えば、自動車やその他の電子機器の電源供給や信号通信に用いられる複数の信号導体線を束にしたワイヤーハーネスにも適用できるものである。
【符号の説明】
【００４１】
１０  フラットケーブル
１１  コネクタ部
１２、１３  信号導体
１４  下部絶縁薄膜層
１５  コネクタ導体
１６  上部絶縁薄膜層
１７、１７ａ  金属層
１８  絶縁プラスチック層
２０  保護遮蔽層
３０、３１、３２  電子回路基板
３３  金具
【図１】
2020017477.tif 000003
【図２】
2020017477.tif 000004
【図３】
2020017477.tif 000005
【図４】
2020017477.tif 000006
【図５】
2020017477.tif 000007
【図６】
2020017477.tif 000008
【図７】
2020017477.tif 000009
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層の一部が内側から絶縁プラスチック層の外側に露出していることを特徴とする信号伝送用フラットケーブル。
【請求項２】
前記保護遮蔽層の金属層の一部は、直接あるいは金具を介して電子回路基板のグラウンド層と電気的に接続されることを特徴とする請求項１に記載の信号伝送用フラットケーブル。
【請求項３】
前記保護遮蔽層の金属層の一部はケーブル長さ方向に複数個所で絶縁プラスチック層の外側に露出していることを特徴とする請求項１又は２に記載の信号伝送用フラットケーブル。
【請求項４】
前記保護遮蔽層は、ケーブル長手方向において一方の端縁部が他方の端縁部の外側に重ね合わされて前記外周を包囲し、前記保護遮蔽層の金属層の一部は重ね合わせられている保護遮蔽層部の部分から重ね合わせられていない部分に向かってケーブル幅方向に絶縁プラスチック層の外側に露出していることを特徴とする請求項１から３のいずれか１項に記載の信号伝送用フラットケーブル。
【請求項５】
前記保護遮蔽層の金属層がコネクタ部のコネクタ導体と電気的に接続していることを特徴とする請求項１から４のいずれか１項に記載の信号伝送用フラットケーブル。
【請求項６】
電子回路基板のグラウンド層に電気的に接続可能なコネクタ導体が形成されたコネクタ部を両端又は一端に備えた信号伝送用フラットケーブルを製造する方法であって、
銅箔を積層した絶縁性液晶ポリマーフィルムからなる下部絶縁薄膜層を、信号導体となる部分が残るようにエッチングして、下部絶縁薄膜層上に信号導体を形成する工程と、
前記信号導体上部に上部絶縁薄膜層を積層する工程と、
金属層と絶縁プラスチック層からなる保護遮蔽層を、金属層が内側に、絶縁プラスチック層が外側になるように配置し、保護遮蔽層の金属層の一部が内側から絶縁プラスチック層の外側に露出するように、前記上部と下部の電気絶縁薄膜層の外周を該保護遮蔽層で包囲する工程と、
前記保護遮蔽層に加熱、加圧を施すことにより、下部絶縁薄膜層、上部絶縁薄膜層、並びに保護遮蔽層を一体化する工程と、
を備えることを特徴とする信号伝送用フラットケーブルの製造方法。
【手続補正３】
【補正対象書類名】明細書
【補正対象項目名】０００７
【補正方法】変更
【補正の内容】
【０００７】
本発明は、このような問題点を解決するためになされたもので、ノイズを確実に除去し、Ｓ／Ｎ比を向上させることができる信号伝送用フラットケーブル及びその製造方法を提供することを課題とする。
【手続補正４】
【補正対象書類名】明細書
【補正対象項目名】０００８
【補正方法】変更
【補正の内容】
【０００８】
上記課題を解決する本発明（請求項１）は、
電子回路基板のグラウンド層に電気的に接続可能なコネクタ導体が形成されたコネクタ部を両端又は一端に備えた信号伝送用フラットケーブルであって、
ケーブル長さ方向に延びる金属薄膜からなる一つ又は複数の信号導体と、
前記信号導体をケーブル厚さ方向の上下から被覆する上部絶縁薄膜層および下部絶縁薄膜層と、
金属層と絶縁プラスチック層からなり、金属層が内側に、絶縁プラスチック層が外側に位置するように前記上部と下部の電気絶縁薄膜層の外周を包囲する保護遮蔽層と、を備え、
前記保護遮蔽層の金属層の一部が内側から絶縁プラスチック層の外側に露出していることを特徴とする。
また、本発明（請求項６）は、
電子回路基板のグラウンド層に電気的に接続可能なコネクタ導体が形成されたコネクタ部を両端又は一端に備えた信号伝送用フラットケーブルを製造する方法であって、
銅箔を積層した絶縁性液晶ポリマーフィルムからなる下部絶縁薄膜層を、信号導体となる部分が残るようにエッチングして、下部絶縁薄膜層上に信号導体を形成する工程と、
前記信号導体上部に上部絶縁薄膜層を積層する工程と、
金属層と絶縁プラスチック層からなる保護遮蔽層を、金属層が内側に、絶縁プラスチック層が外側になるように配置し、保護遮蔽層の金属層の一部が内側から絶縁プラスチック層の外側に露出するように、前記上部と下部の電気絶縁薄膜層の外周を該保護遮蔽層で包囲する工程と、
前記保護遮蔽層に加熱、加圧を施すことにより、下部絶縁薄膜層、上部絶縁薄膜層、並びに保護遮蔽層を一体化する工程と、
を備えることを特徴とする。